(57)【要約】【課題】幼児が楽しんで食事ができるとともに、確実に所定の量の食物をスプーンに載せて食事ができる、幼児用食器を提供する。【解決手段】幼児用食器は、上部が開口された容器部１１と、容器部１１の上部を覆う第１蓋１２ａとを含み、第１蓋１２ａには開口部１３が設けられ、開口部１３を覆う第２蓋１２ｂとを含む。幼児が食事をするときは、第２蓋１２ｂが外された状態で幼児は第１蓋１２ａの開口１３からスプーン２０を容器の内部に入れて食物をスプーン２０に載せる。第１蓋１２ａの開口１３を通してスプーン２０に載った食物を取り出すため、ほぼ一定量の食物をスプーン２０上に載せることができる。【選択図】        図３
2004255085.tif 000002
【特許請求の範囲】
【請求項１】
上部が開口された容器と、
前記容器の上部を覆う第１蓋とを含み、前記第１蓋には開口部が設けられ、
前記開口部を覆う第２蓋とを含む、幼児用食器。
【請求項２】
前記開口部は前記第１蓋の中央部に設けられている、請求項１に記載の幼児用食器。
【請求項３】
前記容器は前記第１蓋で前記容器の開口部を覆ったときに前記第１蓋から外部へ露出する、飲み口を有する、請求項１に記載の幼児用食器。
【請求項４】
前記容器は持ち手を有する、請求項１〜３のいずれかに記載の幼児用食器。
【請求項５】
スプーンとともに用いる食器であって、
上部が開口され、内部に食物を保持可能な容器部と、
前記容器部の上部開口を覆う蓋とを含み、前記蓋の中央部には前記スプーンを通過させるための穴が設けられ、
前記穴を介して前記容器部内の食物を前記スプーンに載せて取りだす、幼児用食器。
【発明の詳細な説明】
【０００１】
【発明の属する技術分野】
この発明は幼児用食器に関し、特に、幼児が食物をこぼすことなく食事ができる幼児用食器に関する。
【０００２】
【従来の技術】
従来の幼児用食器が、たとえば下記の特許文献１に開示されている。図５は特許文献１に開示された食器を示す斜視図である。
【０００３】
図５を参照して、従来の幼児用食器５０は、上部が開口され、その一方側の縁が高くされて、食物受け部５１を形成している。幼児はスプーン５３を用いて食器内の食物をすくい、食物受け部５１でその内側に碗曲した角度により、食物がスプーン５３の中央に押されて、食物は容易にスプーン５３の上に載るようになる。
【０００４】
【特許文献１】
特開平７−３９６４７号公報（段落番号００１４、図１）
【０００５】
【発明が解決しようとする課題】
従来の、幼児用食器として使用される容器５０は上記のように構成されていた。幼児は食物受け部５１を用いて、一定量の食物をスプーン５３に載せることができた。しかしながら、スプーン５３と食物受け部５１との相対的な角度によってスプーン５３に載る食物の量が異なるため、角度が適切であれば適量がスプーン５３に載るが、適切でなければスプーン５３に載る量は適量でなく、幼児の希望通りにならないことが多かった。
【０００６】
このため、スプーン５３に載る食物の量がばらついて、幼児がいらいらし、スプーン５３を放り出したりすることがあった。また、食器の上部が開口しているため、スプーン５３に載る量が多いと食物が食器の外部にもこぼれる、という問題もあった。
【０００７】
この発明は上記のような問題点に着目してなされたもので、幼児が楽しんで食事ができるとともに、確実に所定の量の食物をスプーンに載せて食事ができる、幼児用食器を提供することを目的とする。
【０００８】
【課題を解決するための手段】
この発明にかかる幼児用食器は、上部が開口された容器と、容器の上部を覆う第１蓋とを含む。第１蓋には開口部が設けられ、開口部を覆う第２蓋とを含む。
【０００９】
幼児が食事をするときは、容器上の第１蓋の開口から第２蓋が外された状態で使用する。幼児は第１蓋の開口からスプーンを容器の内部に入れて食物をスプーンに載せる。第１蓋の開口を通してスプーンに載った食物を取り出すため、ほぼ一定量の食物をスプーン上に載せることができる。
【００１０】
また、食物の取り出し時にスプーンから食物がこぼれても、第１蓋の上にこぼれるだけであるから、食器外に食物がこぼれることも防止できる。さらに、第１の蓋がついた状態で幼児は食事をするため、内容物がスープのような流動物であって、幼児が食事時に容器を傾けすぎても、内容物が漏れることはない。
【００１１】
好ましくは、開口部は第１蓋の中央部に設けられている。
【００１２】
さらに好ましくは、容器は第１蓋で容器の開口部を覆ったときに第１蓋から外部へ露出する、飲み口を有する。
【００１３】
さらに好ましくは、容器は持ち手を有する。
【００１４】
この発明の他の局面においては、スプーンとともに用いる食器は、上部が開口され、内部に食物を保持可能な容器部と、容器部の上部開口を覆う蓋とを含み、蓋の中央部にはスプーンを通過させるための穴が設けられ、穴を介して容器部内の食物をスプーンに載せて取りだす。
【００１５】
【発明の実施の形態】
以下この発明の実施の形態を図面を参照して説明する。
【００１６】
図１はこの発明の一実施の形態に係る幼児用容器の斜視図である。図１を参照して、この発明の一実施の形態にかかる幼児用食器１０は、食物を入れるカップ状の容器部１１と容器部１１を覆う蓋部１２とからなる。蓋部１２は第１蓋１２ａと、第１蓋１２ａに設けられた開口部１３（図３参照）を覆う第２蓋１２ｂとを含む。第２蓋１２ｂには、第２蓋を取り外すためのつまみを設けるのが好ましい。
【００１７】
容器部１１は、幼児用食器１０を保持するための持ち手１４と、その内部にある食物がスープのような流動体であるときに、それを幼児が飲むための飲み口１５とを含む。持ち手１４は容器部１１において対称的に２箇所設けても良い。幼児は一方の手でこの持ち手１４を握り幼児用食器１０を保持し、他方の手で後に説明するスプーンを用いて食器内の食物を取り出す。
【００１８】
なお、飲み口１５は蓋部１２が容器部１１の上部開口を覆ったときに第１蓋１２ａから外部へ露出する。したがって、幼児は蓋をした状態で容器部１１の内容物を直接容器１０から飲むことができる。
【００１９】
図１において蓋部１２を取り外した状態を図２に示す。図２に示すように、蓋部１２を取り外すと、幼児用食器１０はカップとしても利用が可能である。
【００２０】
図３は幼児がスプーン２０を用いて幼児用食器１０内の食物を食べる時の状態を示す模式図である。幼児が食時をするときには、第２蓋１２ｂは取り外される。図３を参照して、開口１３は第１蓋１２ａのほぼ中央部に設けら、その寸法はスプーン２０に食物を適量に載せて取り出すのに十分な大きさである。
【００２１】
図４は図３の状態を飲み口の中心で切断したときの状態（図３においてＩＶ−ＩＶで示す）を示す断面図である。
【００２２】
図３および図４を参照して幼児が幼児用食器１０とスプーン２０を用いて食事をする状態について説明する。幼児はスプーン２０を開口１３から容器部１１内に入れて食物１６をスプーン２０の上に載置する。このとき、スプーン２０上には一杯の食物１６が載る可能性がある。
【００２３】
一杯の食物１６がスプーン２０に載った状態で、幼児がスプーン２０を開口１３から取り出すときは、図４に示すようにスプーン２０上の一杯の食物１７は第１蓋の開口１３でその一部が遮られ、あふれたスプーン２０上の食物１７は容器部１１内に落下する。
【００２４】
図４においては、スプーン２０の受け面が直接開口部１３に当接しているが、このようにスプーン２０と開口部１３とが当接しなくても、スプーン２０上の食物の量が多ければ、開口部１３によってスプーン２０上の取り出し量は制限される。
【００２５】
したがって、幼児は適量の食物１６をスプーン２０の上に載せた状態で食物１６を幼児用食器１０から取り出して食事をすることができる。スプーン２０の載る食物の量がほぼ一定になるため、幼児はスプーン２０を用いて楽しく食事ができ、従来のように、スプーン２０に載る食物の量がばらついて幼児がいらいらして、スプーン２０を放り出したりすることはない。
【００２６】
また、幼児は第１蓋１２ａを容器部１１に載せた状態で食事をするため、内容物がスープのような流動物のときに、食器１０を傾きすぎても内容物が外部に漏れることはない。
【００２７】
また、取り出し時に幼児がスプーン２０から食物をこぼしたとしても、第１蓋１２ａの上にまずこぼれることから、食物が幼児用食器のまわりに飛散することもない。
【００２８】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。そのいくつかを例示的に列挙して説明する。
【００２９】
（１）上記実施の形態においては第１蓋の中央部に開口を設けた例について説明したが、これに限らず、多少ずらせて設けても良い。
【００３０】
（２）上記実施の形態では幼児用食器に飲み口を設けた例について説明したが、飲み口が無くても良い。
【００３１】
（３）上記実施の形態では蓋は容易にはずれる構造としたが、これに限らず、少なくとも第１蓋は容易にはずれないよう、容器部の上部縁に溝を設け、その中に第１蓋が収まるような形状としてもよい。
【図面の簡単な説明】
【図１】幼児用食器の斜視図である。
【図２】幼児用食器において蓋部を外した状態を示す図である。
【図３】幼児が幼児用食器を用いて食事をする場合の状態を示す図である。
【図４】図３のＩＶ−ＩＶ線で示す部分の断面図である。
【図５】従来の幼児用食器を示す図である。
【符号の説明】
１０  幼児用食器、１１  容器部、１２  蓋部、１２ａ  第１蓋、１２ｂ  第２蓋、１３  開口部、１４  持ち手、１５  飲み口、１６、１７  食物。
【図１】
2004255085.tif 000003
【図２】
2004255085.tif 000004
【図３】
2004255085.tif 000005
【図４】
2004255085.tif 000006
【図５】
2004255085.tif 000007